(57)【要約】【課題】各種動作モードとそのモードでの操作時間とに着目し、視聴者がテレビジョン受信装置の前にいるかどうかを判断することにより、自動電源オフ機能による電源オフ時間前であっても、装置の電源をオフする。【解決手段】自動電源オフ機能を備えたテレビジョン受信装置において、ＴＶ側マイコン２１は、電源オン状態での動作モードが受信映像をリアルタイムに出力する通常動作モードから、メニュー画面の表示モードまたは音声ミュートモードまたは静止画表示モードのいずれかのモードに移行したとき、自動電源オフ機能による電源オフまでの時間を予め設定されている一定時間の３時間より短い所定時間（例えば、５分等）に変更するとともに、電源オフまでの残り時間を表示部２６の画面に表示する。【選択図】図１
2008072213.tif 000002
【特許請求の範囲】
【請求項１】
電源オン状態で何ら操作されることなく一定時間が経過した場合には自動的に電源をオフする自動電源オフ機能を制御する制御手段を備えたテレビジョン受信装置において、
前記制御手段は、電源オン状態での動作モードが受信映像をリアルタイムに出力する通常動作モードからメニュー画面の表示モードまたは音声ミュートモードまたは静止画表示モードのいずれかのモードに移行したとき、前記電源オフ機能による電源オフまでの時間を前記一定時間より短い所定時間に変更するとともに、電源オフまでの残り時間を画面に表示することを特徴とするテレビジョン受信装置。
【請求項２】
電源オン状態で何ら操作されることなく一定時間が経過した場合には自動的に電源をオフする自動電源オフ機能を制御する制御手段を備えたテレビジョン受信装置において、
前記制御手段は、電源オン状態での動作モードが受信映像をリアルタイムに出力する通常動作モード以外の所定のモードに移行したとき、前記電源オフ機能による電源オフまでの時間を前記一定時間より短い所定時間に変更することを特徴とするテレビジョン受信装置。
【請求項３】
前記所定のモードが、長時間無操作である可能性が低いモードであることを特徴とする請求項２に記載のテレビジョン受信装置。
【請求項４】
前記所定のモードが、メニュー画面の表示モードまたは音声ミュートモードまたは静止画表示モードのいずれかであることを特徴とする請求項２に記載のテレビジョン受信装置。
【請求項５】
前記制御手段は、前記所定のモードに移行したときには、電源オフまでの残り時間を画面に表示することを特徴とする請求項２または請求項３に記載のテレビジョン受信装置。
【請求項６】
装置周辺の人物を検知する人検知手段を備えており、
前記制御手段は、前記所定のモードに移行した場合において、前記人検知手段により人物が検知されている場合には、前記電源オフ機能による電源オフまでの時間を前記一定時間から前記所定時間に変更せず、前記人検知手段により人物が検知されなくなったとき、前記電源オフ機能による電源オフまでの時間を前記一定時間から前記所定時間に変更することを特徴とする請求項１ないし請求項５のいずれかに記載のテレビジョン受信装置。
ことを特徴とする請求項３に記載のテレビジョン受信装置。
【発明の詳細な説明】
【技術分野】
【０００１】
本発明は、電源オン状態で何ら操作されることなく一定時間が経過した場合には自動的に電源をオフする自動電源オフ機能を備えたテレビジョン受信装置に関する。
【背景技術】
【０００２】
従来のテレビジョン受信装置には、電源オン状態で何ら操作されることなく一定時間（例えば、３時間等）が経過した場合に、自動的に電源をオフする自動電源オフ機能を備えたものがある（例えば、特許文献１参照）。このような自動電源オフ機能を備えていることで、例えばユーザが深夜に映画等を視聴している途中で眠ってしまったような場合でも、３時間が経過すると自動的に電源がオフされるため、無駄な電力消費を抑えることが可能となる。
【０００３】
この場合、３時間経過したときにいきなり電源をオフするのではなく、まず出力音声の音量を低下させ、出力音声の音量が低下してから所定時間内に操作部が操作されなかったときに、ユーザが視聴していないと判断して電源をオフするものが提案されている（例えば、特許文献２参照）。
【０００４】
また、ユーザによるＴＶの視聴が、通常のテレビ視聴時間帯から外れていると判定した場合、テレビの視聴を続けるか否かの確認メッセージを画面表示し、所定時間内にユーザからの応答がなかった場合には、自動的に電源をオフするようにしたテレビジョン受像機も提案されている（例えば、特許文献３参照）。
【０００５】
さらに、どの程度時間が経過したら停止状態にするかを設定値保持装置に設定しておくことができるようにしたテレビジョン受像機も提案されている（例えば、特許文献４参照）。これら従来技術は、何れも無駄な電力消費を抑えることを目的としている。
【特許文献１】特開２０００−９２７４３号公報
【特許文献２】特開平１１−２８４９３４号公報
【特許文献３】特開２００４−３４９９４６号公報
【特許文献４】特開２０００−２４４８４４号公報
【発明の開示】
【発明が解決しようとする課題】
【０００６】
上記特許文献１の自動電源オフ機能では、電源オン状態で何ら操作されることなく一定時間（例えば、３時間等）が経過した場合にしか電源がオフされず、その途中でユーザが視聴していない状態が発生しても、あくまで一定時間が経過するまでは電源をオフすることができないといった問題があった。
【０００７】
また、上記特許文献２の技術は、電源をオフする前に一定時間が経過したことをユーザに通知する手段を備えているものであるが、その時点でユーザがすでにテレビジョン受信装置の前に居なければ意味がなく、いずれにしても一定時間が経過するまでは電源をオフすることができないといった問題があった。
【０００８】
また、上記特許文献３の技術では、通常のテレビ視聴時間帯から外れている場合には、テレビの電源を自動的にオフすることができるが、通常のテレビ視聴時間帯においてユーザが視聴していない状態が続いても、これによってはテレビの電源をオフすることができないといった問題があった。
【０００９】
さらに、上記特許文献４の技術では、ユーザの意思によって電源オフまでの時間を設定できるが、その設定時間が経過する前にユーザが視聴していない状態が続いても、これによってはテレビの電源をオフすることができないといった問題があった。
【００１０】
本発明はかかる問題点を解決すべく創案されたもので、その目的は、自動電源オフ機能を備えたテレビジョン受信装置において、各種動作モードとそのモードでの操作時間とに着目して、視聴者がテレビジョン受信装置の前にいるかどうかを判断することにより、自動電源オフ機能による電源オフ時間前であっても、装置の電源をオフすることのできるテレビジョン受信装置を提供することにある。
【課題を解決するための手段】
【００１１】
上記課題を解決するため、本発明のテレビジョン受信装置は、電源オン状態で何ら操作されることなく一定時間が経過した場合には自動的に電源をオフする自動電源オフ機能を制御する制御手段を備えたテレビジョン受信装置において、前記制御手段は、電源オン状態での動作モードが受信映像をリアルタイムに出力する通常動作モード以外の所定のモードに移行したとき、前記自動電源オフ機能による電源オフまでの時間を前記一定時間より短い所定時間に変更することを特徴としている。
【００１２】
ここで、前記所定のモードとは、長時間無操作である可能性が低いモードのことであり、具体的には、メニュー画面の表示モードまたは音声ミュートモードまたは静止画表示モードなどである。ただし、所定のモードはこれら３つのモードが代表的なモードであるが、必ずしもこれら３つのモードに限定されるものではなく、長時間無操作である可能性が低いモードが他にもあれば、それらも含めることが可能である。
【００１３】
すなわち、動作モードがメニュー画面の表示モードである場合において、その表示状態でユーザが長時間何も操作しないという状況は考えにくい。メニュー画面を表示するということは、ユーザが何らかの操作を行いたいためであり、この状態で何ら操作されないのは、ユーザに不測の事態が生じてテレビジョン受信装置の設置されている例えばリビングからそのまま退出したような場合が考えられる。
【００１４】
また、音声ミュート状態でユーザが長時間視聴しているという状況も考えにくい。音声ミュート状態でユーザが長時間視聴している状況としては、例えば視聴中に電話がかかってきたために一時的に音声をミュートしたが、その後通話を継続するために例えばリビングからそのまま退出した場合などが考えられる。
【００１５】
さらに、例えば録画済みの映画を再生中にトイレ等に行くために静止画表示モードとした場合には、すぐに戻ることを前提としているため、そのままの状態を長時間放置することは考えにくい。
【００１６】
従って、制御手段は、このような長時間無操作である可能性が低いモードに移行した場合には、電源オフまでの時間を予め設定されている一定時間（例えば、３時間等）より短い所定時間（例えば、５分等）に変更する。そして、その５分の間に何も操作されなければ、ユーザがテレビジョン受信装置の前にいないと判断できるので、この場合には、その５分経過後に自動的に電源をオフする。これにより、消費電力の無駄を抑えることが可能となる。
【００１７】
また、本発明では、前記制御手段は、前記所定のモードに移行したときには、電源オフまでの残り時間を画面に表示するように構成してもよい。この場合、残り時間の表示は、例えば５分から、４分５９秒、４分５８秒、・・・、というように残り時間を１秒単位でリアルタイムにカウントダウンするような表示でもよいし、例えば残り時間を４分３０秒、４分００秒、３分３０秒、・・・というように３０秒単位で表示してもよい。このような表示を行うことで、ユーザは、所用を済ませて装置の前に戻ってきたとき、後何秒で電源がオフされるのかが分かるので、残り時間が０秒になる前に次の操作を行うことが可能となる。
【００１８】
また、本発明のテレビジョン受信装置によれば、装置周辺の人物を検知する人検知手段をさらに備えていてもよい。すなわち、前記制御手段は、前記所定のモードに移行した場合において、前記人検知手段により人物が検知されている場合には、前記自動電源オフ機能による電源オフまでの時間を前記一定時間から前記所定時間に変更せず、前記人検知手段により人物が検知されなくなったとき、前記自動電源オフ機能による電源オフまでの時間を前記一定時間から前記所定時間に変更するように構成してもよい。
【００１９】
例えば音声ミュートの状態で画像のみを表示している場合には、上記したようにユーザが例えば画面を見つつ電話に出ているといった状況が想定できる。この場合には、ユーザはリアルタイムに放送されている例えば映画の映像だけでも見ながら電話に対応したいと考えていると判断できる。このような場合に、所定時間である例えば５分が経過したときにいきなり電源をオフすると、ユーザの視聴が妨げられることになる。従って、本発明ではこのような場合を考慮し、例えば音声ミュート状態であっても人が装置の前にいることが人検知手段の検知結果によって判断できた場合には、自動電源オフ機能による電源オフまでの時間を一定時間から所定時間に変更しない。これにより、ユーザが装置の前にいるにもかかわらず電源がオフされてしまうといった不測の事態の発生を防止することが可能となる。
【発明の効果】
【００２０】
本発明のテレビジョン受信装置によれば、装置の各種の動作モードとそのモードでの操作時間とに基づいて、視聴者がテレビジョン受信装置の前にいるかどうかを判断することで、ユーザに不便さを感じさせずに自動電源オフ機能による電源オフまでの時間を最適な時間に変更することができる。これにより、無駄な電力消費をより効果的に抑えることができる。さらに、人検知手段を併せて使用することで、人が装置の前にいるかどうかをより確実に判断できるので、自動電源オフ機能による電源オフまでの時間をより的確に変更することができる。
【発明を実施するための最良の形態】
【００２１】
以下、本発明の実施の形態について、図面を参照して説明する。
【００２２】
（実施形態１）
図１は、本発明のテレビジョン受信装置の実施形態１に係るディスク装置（ＤＶＤ装置）内蔵型テレビジョン受信装置の要部の電気的構成を示す機能ブロック図である。ただし、本実施形態１では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。
【００２３】
すなわち、本実施形態１のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン１１と、ＴＶ制御系２０全体を制御するＴＶ側マイコン（制御手段）２１とがバス通信３５によって双方向に接続された構成となっている。
【００２４】
ディスク側マイコン１１は、本体内に装■されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面（メニュー画面）を表示するためのＯＳＤ回路１２ａを備えている。
【００２５】
また、ディスク側マイコン１１は、セットアップ画面において設定した内容や、ＴＶ側マイコン２１から送信されてきたセットアップの内容を記憶（保存）するディスク側メモリ部（ＥＥＰＲＯＭ等）１４を備えている。
【００２６】
一方、テレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面や後述するディスク装置側の各種設定を行うためのセットアップ画面を含む各種メニュー画面を表示するためのＯＳＤ回路２４ａを備えている。
【００２７】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。また、ＴＶ側マイコン２１は、セットアップ画面において設定した内容を記憶するＴＶ側メモリ部（ＥＥＰＲＯＭ等）２９、及び後述する各種設定時間を計測するタイマー回路部３０を備えている。
【００２８】
また、ＴＶ側マイコン２１には、リモコン４１からの各種操作信号を受信する受信部３１の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態１では、ディスク制御系１０の電源オン、オフを含む全ての制御信号が、ＴＶ側マイコン２１を通じてディスク側マイコン１１に送信されるようになっている。また、切換回路２５の切り換え制御はＴＶ側マイコン２１によって行われるようになっている。
【００２９】
上記構成のディスク装置内蔵型テレビジョン受信装置は、電源オン状態でリモコン４１が何ら操作されることなく一定時間が経過した場合には自動的に電源をオフする自動電源オフ機能を備えている。すなわち、ＴＶ側マイコン２１は、この自動電源オフ機能も制御するようになっている。
【００３０】
また、ＴＶ側マイコン２１は、電源オン状態での動作モードが受信映像をリアルタイムに出力する通常動作モード以外の長時間無操作である可能性が低い所定のモードに移行したとき、自動電源オフ機能による電源オフまでの時間を、予め設定されている一定時間（例えば、３時間）より短い所定時間（例えば、５分等）に変更して、自動電源オフ機能を継続するようになっている。この自動電源オフ機能は、装置の電源をオンすると常に起動（動作開始）するように構成されていてもよいが、一般的には、ユーザが例えばメニュー画面やリモコン４１に設けられた図示しない専用ボタン等からこの自動電源オフ機能を有効とする設定を行うことで、装置の電源オン時に起動するようになっている。
【００３１】
次に、上記構成のディスク装置内蔵型テレビジョン受信装置において、本実施形態１に係わる自動電源オフ機能の動作について、図２に示すフローチャートを参照して説明する。
【００３２】
自動電源オフ機能が起動すると、ＴＶ側マイコン２１は、タイマー回路部３０を起動して、電源オフまでの一定時間である３時間の計測を開始する（ステップＳ１，Ｓ２）。ここで、装置の電源オン時の動作状態が、受信映像をリアルタイムに出力する通常動作モードであったとする。この場合、ＴＶ側マイコン２１は、リモコン４１からの操作信号の入力待ち状態となり（ステップＳ３）、操作信号が入力（受信部３１で受信）されると（ステップＳ３でＹｅｓと判断されると）、その操作信号による指示が通常動作モードから他のモードに切り換える指示であるか否かを確認する（ステップＳ４）。その結果、音量調整等の指示のように他のモードへの切り換え指示で無かった場合（ステップＳ４でＮｏと判断された場合）には、ステップＳ１に戻り、タイマー回路部３０を一旦リセットして、一定時間である３時間の計測を再度開始する。
【００３３】
一方、操作信号による指示が他のモードに切り換える指示であった場合（ステップＳ４でＹｅｓと判断された場合）には、次にそのモードが所定のモードであるか否かを判断する（ステップＳ５）。ここで、所定のモードとは、本実施形態１では、リモコン操作によるメニュー画面の表示モード、または音声ミュートモード（図示しないミュートボタンの操作による音声ミュートモード）、または静止画表示モード（図示しない一時停止ボタンの操作による静止画表示モード）のいずれかである。ただし、静止画表示モードは、ＤＶＤ装置によるディスク再生モードでの一時停止ボタンの操作によって実行される。
【００３４】
その結果、所定のモード以外のモードであった場合（ステップＳ５でＮｏと判断された場合）には、その指示に従ったモードに切り換えて処理を行うとともに（ステップＳ６）、ステップＳ１に戻り、タイマー回路部３０を一旦リセットして、一定時間である３時間の計測を再度開始する。
【００３５】
一方、ステップＳ５での判断の結果、操作信号の指示が所定のモードへの切り換え指示であった場合には、ステップＳ７へと動作を進める。すなわち、ＴＶ側マイコン２１は、自動電源オフ機能による電源オフまでの時間を、最初に設定した一定時間である３時間から、それより短い所定時間である例えば５分に変更する（ステップＳ７）。すなわち、ＴＶ側マイコン２１は、タイマー回路部３０をリセットして新たに５分の計測を開始する（ステップＳ８）。
【００３６】
また、ＴＶ側マイコン２１は、この時点から電源オフまでの残り時間を表示部２６の画面に表示する（ステップＳ９）。このときの残り時間の表示は、例えば図３に示すように、５分から、４分５９秒、４分５８秒、・・・、０分０３秒、０分０２秒、０分０１秒、というように残り時間を１秒単位でリアルタイムにカウントダウンするような表示でもよいし、例えば残り時間を４分３０秒、４分００秒、３分３０秒、・・・というように３０秒単位で表示してもよい。このような表示を行うことで、ユーザは、所用を済ませてテレビジョン受信装置の前に戻ってきたとき、後何秒で電源がオフされるのかが分かるので、残り時間が０秒になる前に次の操作を行うことが可能となる。
【００３７】
ＴＶ側マイコン２１は、このような残り時間の表示を行いつつ、設定された５分の計測を継続し（ステップＳ１０）、この計測時間内に操作信号が入力されたか否かを監視する（ステップＳ１１）。そして、計測時間内に操作信号が入力された場合（ステップＳ１０でＮｏ、ステップＳ１１でＹｅｓと判断された場合）には、その操作信号に従った処理を行うとともに、ステップＳ１に戻り、タイマー回路部３０をリセットして、一定時間である３時間の計測を再度開始する。
【００３８】
一方、操作信号が入力されることなく所定時間である５分を計測した場合（ステップＳ１０でＹｅｓと判断された場合）には、ＴＶ側マイコン２１はこの時点で電源をオフとする（ステップＳ１２）。すなわち、所定のモードに移行後、何も操作されなければ、５分後に電源が自動的にオフされることになる。
【００３９】
（実施形態２）
図４は、本発明のテレビジョン受信装置の実施形態２に係るディスク装置（ＤＶＤ装置）内蔵型テレビジョン受信装置の要部の電気的構成を示す機能ブロック図である。
【００４０】
すなわち、本実施形態２のディスク装置内蔵型テレビジョン受信装置は、図１に示す実施形態１のディスク装置内蔵型テレビジョン受信装置に、新たに人検知手段３２を追加した構成としたものである。従って、ＴＶ側マイコン２１以外のその他の機能ブロックの構成は図１に示す構成と同じであるので、ここでは同機能ブロックに同符号を付すこととし、詳細な説明を省略する。
【００４１】
ここで、人検知手段３２としては、周知の赤外線センサの他、撮像カメラ（ＣＣＤカメラ）を含む画像認識装置を挙げることができる。画像認識装置は、撮像カメラの撮影画像に基づいて人の特徴を判定することで人を検知する。すなわち、撮影した顔画像を基に、顔の輪郭を判定し、その顔輪郭の中の目、鼻、口、眉等の位置を検出することで、人であるか否かを判定する。このような画像認識技術は従来周知の技術であるので、ここでは詳細な説明を省略する。
【００４２】
次に、上記構成のディスク装置内蔵型テレビジョン受信装置において、本実施形態２に係わる自動電源オフ機能の動作について、図５に示すフローチャートを参照して説明する。
【００４３】
自動電源オフ機能が起動すると、ＴＶ側マイコン２１は、タイマー回路部３０を起動して、電源オフまでの一定時間である３時間の計測を開始する（ステップＳ２１，Ｓ２２）。ここで、装置の電源オン時の動作状態が、受信映像をリアルタイムに出力する通常動作モードであったとする。この場合、ＴＶ側マイコン２１は、リモコン４１からの操作信号の入力待ち状態となり（ステップＳ２３）、操作信号が入力（受信部３１で受信）されると（ステップＳ２３でＹｅｓと判断されると）、その操作信号による指示が通常動作モードから他のモードに切り換える指示であるか否かを確認する（ステップＳ２４）。その結果、音量調整等の指示のように他のモードへの切り換え指示で無かった場合（ステップＳ２４でＮｏと判断された場合）には、ステップＳ２１に戻り、タイマー回路部３０を一旦リセットして、一定時間である３時間の計測を再度開始する。
【００４４】
一方、操作信号による指示が他のモードに切り換える指示であった場合（ステップＳ２４でＹｅｓと判断された場合）には、次にそのモードが所定のモードであるか否かを判断する（ステップＳ２５）。その結果、所定のモード以外のモードであった場合（ステップＳ２５でＮｏと判断された場合）には、その指示に従ったモードに切り換えて処理を行うとともに（ステップＳ２６）、ステップＳ２１に戻り、タイマー回路部３０を一旦リセットして、一定時間である３時間の計測を再度開始する。
【００４５】
一方、ステップＳ２５での判断の結果、操作信号の指示が所定のモードへの切り換え指示であった場合には、ステップＳ２７へと動作を進める。すなわち、ＴＶ側マイコン２１は、この時点から人検知手段３２を用いて、テレビジョン受信装置の周辺に人がいるか否かを検出する。
【００４６】
そして、人が装置周辺からいなくなったと判断すると（ステップＳ２７でＮｏと判断すると）、この時点でＴＶ側マイコン２１は、自動電源オフ機能による電源オフまでの時間を、最初に設定した一定時間である３時間から、それより短い所定時間である例えば５分に変更する（ステップＳ２８）。すなわち、ＴＶ側マイコン２１は、タイマー回路部３０をリセットして新たに５分の計測を開始する（ステップＳ２９）。
【００４７】
また、ＴＶ側マイコン２１は、この時点から電源オフまでの残り時間を表示部２６の画面に表示する（ステップＳ３０）。このときの残り時間の表示は、上記実施形態１の場合と同じである。
【００４８】
ＴＶ側マイコン２１は、このような残り時間の表示を行いつつ、設定された５分の計測を継続し（ステップＳ３１）、この計測時間内に操作信号が入力されたか否かを監視する（ステップＳ３２）。そして、計測時間内に操作信号が入力された場合（ステップＳ３１でＮｏ、ステップＳ３２でＹｅｓと判断された場合）には、その操作信号に従った処理を行うとともに、ステップＳ２１に戻り、タイマー回路部３０をリセットして、一定時間である３時間の計測を再度開始する。
【００４９】
一方、操作信号が入力されることなく所定時間である５分を計測した場合（ステップＳ３１でＹｅｓと判断された場合）には、ＴＶ側マイコン２１はこの時点で電源をオフとする（ステップＳ３３）。すなわち、所定のモードに移行後、何も操作されなければ、５分後に電源が自動的にオフされることになる。
【００５０】
上記実施形態１、２では、所定のモードに移行したときの電源オフまでの残り時間を同じ一定時間（５分）としているが、メニュー画面の表示モード、音声ミュートモード、静止画表示モードのそれぞれのモードに応じて最適な電源オフまでの残り時間を個別に設定してもよい。例えば、メニュー画面の表示モードの場合は２分、静止画表示モードの場合は３分、音声ミュートモードの場合は５分というように、それぞれのモードに応じて時間設定してもよい。また、このような時間設定は、ユーザによって任意に設定可能としてもよい。これにより、個々のユーザの使用状況に合わせて最適な電源オフまでの時間を設定することができる。
【００５１】
また、上記実施形態１、２では、本発明のテレビジョン受信装置としてＤＶＤ装置内蔵型テレビジョン受信装置を例示しているが、ハードディスク（ＨＤ）内蔵型テレビジョン受信装置にも適用可能である。さらに、所定のモードとして静止画表示モードを含まなければ、ＤＶＤ装置やハードディスク（ＨＤ）を内蔵していない通常のテレビジョン受信装置にも本発明を適用することが可能である。
【図面の簡単な説明】
【００５２】
【図１】本発明のテレビジョン受信装置の実施形態１に係るディスク装置（ＤＶＤ装置）内蔵型テレビジョン受信装置の要部の電気的構成を示す機能ブロック図である。
【図２】実施形態１に係わる自動電源オフ機能の動作を説明するためのフローチャートである。
【図３】電源オフまでの残り時間の表示例を示す説明図である。
【図４】本発明のテレビジョン受信装置の実施形態２に係るディスク装置（ＤＶＤ装置）内蔵型テレビジョン受信装置の要部の電気的構成を示す機能ブロック図である。
【図５】実施形態２に係わる自動電源オフ機能の動作を説明するためのフローチャートである。
【符号の説明】
【００５３】
１０  ディスク制御系
１１  ディスク側マイコン
１２  ディスク信号処理部
１２ａ  ＯＳＤ回路
１３  ディスク
１４  ディスク側メモリ部
２０  ＴＶ制御系
２１  ＴＶ側マイコン
２２  ディスク側メモリ部
２４  ＴＶ信号処理部
２４ａ  ＯＳＤ回路
２５  切換回路
２６  表示部
２７  増幅器
２８  内部スピーカ
２９  ＴＶ側メモリ部
３０  タイマー回路部
３１  受信部
３１  人検知手段
４１  リモコン
【図１】
2008072213.tif 000003
【図２】
2008072213.tif 000004
【図３】
2008072213.tif 000005
【図４】
2008072213.tif 000006
【図５】
2008072213.tif 000007